(57)【要約】      （修正有）【課題】テレビやオーディオの音を含むユーザー周囲に騒音あっても、空気調和機からの音声応答を判別可能とする。【解決手段】室内ユニットで赤外線制御信号に対応した音声応答機能を有した空気調和機において、複数の操作スイッチからなる制御信号入力手段１と、マイクからなる音声信号入力手段２と、前記制御信号入力手段１と音声信号入力手段２の信号により空気調和機の各種制御データおよびテレビ・オーディオ機器の制御データを作成する赤外線制御信号作成手段３と、空気調和機およびテレビ・オーディオ機器を制御する赤外線信号を出力する赤外線信号出力手段４とを備え、前記赤外線制御信号作成手段で作成するテレビ・オーディオ制御データを消音制御信号としたものである。【選択図】図１
2007306355.tif 000002
【特許請求の範囲】
【請求項１】
室内ユニットで赤外線制御信号に対応した音声応答機能を有した空気調和機において、複数の操作スイッチからなる制御信号入力手段と、マイクからなる音声信号入力手段と、前記制御信号入力手段と前記音声信号入力手段の信号により空気調和機の各種制御データおよびテレビ・オーディオ機器の制御データを作成する赤外線制御信号作成手段と、空気調和機およびテレビ・オーディオ機器を制御する赤外線信号を出力する赤外線信号出力手段とを備え、前記赤外線制御信号作成手段で作成するテレビ・オーディオ制御データを消音制御信号とする空気調和機の遠隔制御装置。
【請求項２】
空気調和機制御信号出力したのち所定時間経過後にテレビ・オーディオ機器の消音解除制御信号を出力する請求項１に記載の空気調和機の遠隔制御装置。
【請求項３】
消音解除制御信号を出力するまでの所定時間を空気調和機制御信号により変更するとした請求項２に記載の空気調和機の遠隔制御装置。
【請求項４】
室内ユニットで赤外線制御信号に対応した音声応答機能を有した空気調和機において、複数の操作スイッチからなる制御信号入力手段と、マイクからなる音声信号入力手段と、前記制御信号入力手段と前記音声信号入力手段の信号により空気調和機の各種制御データおよびテレビ・オーディオ機器の制御データを作成する赤外線制御信号作成手段と、空気調和機およびテレビ・オーディオ機器を制御する赤外線信号を出力する赤外線信号出力手段とを備え、前記赤外線制御信号作成手段で作成するテレビ・オーディオ制御データを音量ダウン制御信号とする空気調和機の遠隔制御装置。
【請求項５】
空気調和機制御信号出力したのち所定時間経過後にテレビ・オーディオ機器の音量アップ制御信号を出力する請求項４に記載の空気調和機の遠隔制御装置。
【請求項６】
音量アップ制御信号を出力するまでの所定時間を空気調和機制御信号により変更するとした請求項５に記載の空気調和機の遠隔制御装置。
【発明の詳細な説明】
【技術分野】
【０００１】
本発明は、赤外線を用いたワイヤレスリモコンで、室内ユニットで赤外線制御信号に対応した音声応答機能を有した空気調和機の遠隔制御装置（以下、リモコンと表記する）に関するものである。
【背景技術】
【０００２】
従来、この種の空気調和機では赤外線信号を用いてリモコンのスイッチ操作を空気調和機の室内ユニットに制御信号として送信するが、室内ユニット側では制御信号の受信確認音をブザーを用いて発生させている。また、ユーザーの利便性・操作に対する識別性の向上の為にスピーカーを用いて音声応答する空気調和機が実現されている。スピーカーを具備した空気調和機の室内ユニットと、赤外線を用いたリモコンから構成されている。
【０００３】
図７は従来のリモコンの構成ブロック図であり、入力部１１の入力に応じてリモコン制御部で作成した室内ユニットの制御信号を送信部１３から送信する（例えば、特許文献１参照）。
【特許文献１】特開２００１−１２８２６４号公報
【発明の開示】
【発明が解決しようとする課題】
【０００４】
しかしながら、前記従来の構成では、ユーザーがリモコンを操作する事により、空気調和機の室内ユニットのスピーカーから音声による応答が行われるが、テレビやオーディオの音を含むユーザー周囲の騒音により、空気調和機の音声応答が聞こえにくいという課題を有していた。
【０００５】
本発明は、前記従来の課題を解決するもので、安価かつリモコンの操作性を損ねることなく、リモコン操作時に室内ユニットからの音声応答が良く聞こえるユーザーフレンドリーな空気調和機の遠隔制御装置を提供することを目的とする。
【課題を解決するための手段】
【０００６】
前記従来の課題を解決するために、本発明の空気調和機の遠隔制御装置は、複数の操作スイッチからなる制御信号入力手段と、マイクからなる音声信号入力手段と、前記制御信号入力手段と前記音声信号入力手段の信号により空気調和機の各種制御データおよびテレビ・オーディオ機器の制御データを作成する赤外線制御信号作成手段と、空気調和機およびテレビ・オーディオ機器を制御する赤外線信号を出力する赤外線信号出力手段とを備え、前記赤外線制御信号作成手段で作成するテレビ・オーディオ制御データを消音制御信号としたものである。
【０００７】
これによって、空気調和機のリモコンを操作するとテレビ・オーディオ機器の消音制御データの送信を実施し、データを受信したテレビ・オーディオ機器からの音が消えてユーザー周囲の騒音レベルが下がり、室内ユニットからの音声応答が容易に聞こえることになり、安価かつリモコンの操作性を損ねることなく、ユーザーフレンドリーなリモコンが実現される。
【発明の効果】
【０００８】
本発明の空気調和機の遠隔制御装置は、ユーザー周囲の騒音レベルが高い時にはテレビなどからの音声を下げることによりユーザーによる音声応答の誤認識を防止でき、安価で操作性に富むユーザーフレンドリーなリモコンを実現することができる。
【発明を実施するための最良の形態】
【０００９】
第１の発明は、複数の操作スイッチからなる制御信号入力手段と、マイクからなる音声信号入力手段と、前記制御信号入力手段と前記音声信号入力手段の信号により空気調和機の各種制御データおよびテレビ・オーディオ機器の制御データを作成する赤外線制御信号作成手段と、空気調和機およびテレビ・オーディオ機器を制御する赤外線信号を出力する赤外線信号出力手段とを備え、前記赤外線制御信号作成手段で作成するテレビ・オーディオ制御データを消音制御信号とすることにより、室内ユニットからの音声応答が容易に聞こえることになり、安価かつリモコンの操作性を損ねることなく、ユーザーフレンドリーなリモコンを実現することができる。
【００１０】
第２の発明は、特に、第１の発明の空気調和機制御信号出力したのち所定時間経過後にテレビ・オーディオ機器の消音解除制御信号を出力することにより、ユーザーのリモコン操作を軽減することとなりリモコンの操作性を向上することができる。
【００１１】
第３の発明は、特に、第２の発明の消音解除制御信号を出力するまでの所定時間を空気調和機制御信号により変更することにより確実に音声応答の間テレビ・オーディオ音声を消音することとなり音声応答の誤認識を防止できると共にテレビ・オーディオの消音時間を最適にできる。
【００１２】
第４の発明は、赤外線制御信号作成手段で作成するテレビ・オーディオ制御データを音量ダウン制御信号とすることにより、空気調和機の室内ユニットからの音声応答とテレビ・オーディオ音声が共に聞き取れる構成となりユーザーメリットを向上することができる。
【００１３】
第５の発明は、特に、第４の発明の空気調和機制御信号出力したのち所定時間経過後にテレビ・オーディオ機器の音量アップ制御信号を出力することにより、ユーザーのリモコン操作を軽減することとなりリモコンの操作性を向上することができる。
【００１４】
第６の発明は、特に、第５の発明の音量アップ制御信号を出力するまでの所定時間を空気調和機制御信号により変更することにより確実に音声応答の間テレビ・オーディオ音声をダウンすることとなり音声応答の誤認識を防止できる共にテレビ・オーディオの音量ダウン時間を最適にできる。
【００１５】
以下、本発明の実施の形態について、図面を参照しながら説明する。なお、この実施の形態によって本発明が限定されるものではない。
【００１６】
（実施の形態１）
図１は、本発明の第１から６の実施の形態における遠隔制御装置のブロック構成を示すものである。
【００１７】
図１において、制御信号入力手段１は複数の操作スイッチからなる。音声信号入力手段２はマイクからなる。赤外線制御信号作成手段３は、前記制御信号入力手段と前記音声信号入力手段の信号により指示された空気調和機の各種制御データおよびテレビ・オーディオ機器の制御データを作成する。赤外線信号出力手段４は空気調和機およびテレビ・オーディオ機器を制御する赤外線信号を出力する赤外線送信部有し、空気調和機の遠隔制御装置を構成している（実施の形態１から６の構成に共通）。
【００１８】
図２は、本発明の第１の実施の形態における動作を示すフローチャートである。
【００１９】
以上のように構成された空気調和機の遠隔制御装置について、図２をもちいて以下その動作、作用を説明する。
【００２０】
まず、処理がスタートすると、ステップＲ１でスイッチが操作されたかを判断して、スイッチ操作がないと判断すると終了に進みその他の処理を行う。スイッチ操作があると判断すると、ステップＲ２に進む。ステップＲ２においてスイッチ操作によりエアコン制御変更要求が発生するかを判断して、エアコン制御変更要求が無いと判断すると終了に進みその他の処理を行う。
【００２１】
エアコン制御変更要求があると判断するとステップＲ３に進む。ステップ３においてリモコン内蔵マイクで検出した騒音レベルが所定のレベル以上かを判断して、所定のレベル未満と判断するとステップＲ４に進み通常のエアコン制御信号作成処理を行う。所定のレベル以上と判断するとステップＲ６に進む。ステップＲ４においてスイッチ操作に応じたエアコン制御信号を作成してステップＲ５に進む。ステップＲ５においてステップＲ４で作成されたエアコン制御信号を送信して終了に進み、その他の処理を行う。
【００２２】
ステップ６においてあらかじめ決められたテレビ・オーディオ用「消音」制御信号を送信してステップＲ７に進む。ステップＲ７においてスイッチ操作に応じたエアコン制御信号を作成してステップＲ８に進む。ステップＲ８においてステップＲ７で作成されたエアコン制御信号を送信して終了に進み、その他の処理を行う。図示は省略しているが、その他の処理を実行後スタートに戻り処理を繰り返す。
【００２３】
以上のように、本実施の形態においては空気調和機のリモコンを操作すると周囲の騒音レベルが高い時にはテレビ・オーディオ機器の消音制御データの送信を実施し、データを受信したテレビ・オーディオ機器からの音が消えてユーザー周囲の騒音レベルが下がり、室内ユニットからの音声応答が容易に聞こえることになり、周囲の騒音レベルが低い時には、室内ユニットの音声応答とテレビ・オーディオ機器からの音声が共に聞き取れて、安価かつリモコンの操作性を損ねることなく、ユーザーフレンドリーなリモコンが実現することができる。
【００２４】
（実施の形態２）
図３は、本発明の第２および第３の実施の形態における動作を示すフローチャートである。
【００２５】
図３において第１の実施例と同じ処理については同一ステップ番号を付与することとして説明を割愛する。ステップＲ１においてスイッチ操作がないと判断するとステップＲ９に進み、ステップＲ２においてエアコン制御変更要求が無いと判断するとステップＲ９に進む。ステップ９においてエアコン制御信号を送信後の経過時間と所定の時間とを比較して、一致しないと判断すると終了に進む。一致すると判断するとステップ１０に進みあらかじめ決められたテレビ・オーディオ用「消音解除」制御信号を送信して終了に進む。
【００２６】
この実施形態によれば、ユーザーのリモコン操作を軽減することとなりリモコンの操作性を向上することができる。
【００２７】
（実施の形態３）
ステップＲ９において操作したスイッチに応じて複数の値から所定時間を採用してエアコン制御信号送信後の経過時間と比較して次のステップに進む。
【００２８】
この実施形態によれば、確実に音声応答の間テレビ・オーディオ音声を消音することとなり音声応答の誤認識を防止できると共にテレビ・オーディオの消音時間を最適にするこ
ととなりユーザービリティーを向上することができる。
【００２９】
（実施の形態４）
図４は、本発明の第４の実施の形態における動作を示すフローチャートである。
【００３０】
図４において第１の実施例と同じ処理については同一ステップ番号を付与することとして説明を割愛する。ステップＲ１１においてあらかじめ決められたテレビ・オーディオ用「音量ダウン」制御信号を送信してステップＲ７に進む。
【００３１】
この実施形態によれば、空気調和機の室内ユニットからの音声応答とテレビ・オーディオ音声が共に聞き取れる構成となりユーザーメリットを向上することができる。
【００３２】
（実施の形態５）
図５は、本発明の第５および第６の実施の形態における動作を示すフローチャートである。
【００３３】
図５において第１、第３の実施例と同じ処理については同一ステップ番号を付与することとして説明を割愛する。ステップＲ１１においてあらかじめ決められたテレビ・オーディオ用「音量ダウン」制御信号を送信してステップＲ７に進む。ステップＲ９においてエアコン制御信号を送信後の経過時間と所定の時間とを比較して、一致しないと判断すると終了に進む。一致すると判断するとステップ１２に進みあらかじめ決められたテレビ・オーディオ用「音量アップ」制御信号を送信して終了に進む。
【００３４】
この実施形態によれば、ユーザーのリモコン操作を軽減することとなりリモコンの操作性を向上することができる。
【００３５】
（実施の形態６）
ステップＲ９において操作したスイッチに応じて複数の値から所定時間を採用してエアコン制御信号送信後の経過時間と比較して次のステップに進む。
【００３６】
この実施形態によれば、確実に音声応答の間テレビ・オーディオ音量をダウンすることとなり音声応答の誤認識を防止できると共にテレビ・オーディオの音量ダウン時間を最適にすることとなり、ユーザービリティーを向上することができる。
【産業上の利用可能性】
【００３７】
以上のように、本発明にかかる空気調和機の遠隔制御装置は、ユーザー周囲の騒音レベルが高い時にはテレビなどからの音声を下げることによりユーザーによる音声応答の誤認識を防止でき、安価で操作性に富むユーザーフレンドリーなリモコンを実現することができる。
【図面の簡単な説明】
【００３８】
【図１】本発明の実施の形態１におけるリモコンのブロック図
【図２】本発明の実施の形態１における動作を示すフローチャート
【図３】本発明の実施の形態２および３における動作を示すフローチャート
【図４】本発明の実施の形態４における動作を示すフローチャート
【図５】本発明の実施の形態５および６における動作を示すフローチャート
【図６】本発明の空気調和機の室内ユニットとリモコンの位置関係図
【図７】従来のリモコンのブロック図
【符号の説明】
【００３９】
１  制御信号入力手段
２  音声信号入力手段
３  赤外線制御信号作成手段
４  赤外線信号出力手段
１０  リモコン
１１  マイク
２０  空気調和機の室内ユニット
３０  テレビ
【図１】
2007306355.tif 000003
【図２】
2007306355.tif 000004
【図３】
2007306355.tif 000005
【図４】
2007306355.tif 000006
【図５】
2007306355.tif 000007
【図６】
2007306355.tif 000008
【図７】
2007306355.tif 000009